(57)【特許請求の範囲】
【請求項１】
セル間干渉を制御するための方法であって、前記方法は、マクロセルのｅノードＢが実行し、前記方法は、
セル間干渉協調（ＩＣＩＣ）サーバからフェムトセルと前記マクロセルとの間のマッピングを受信することと、
前記マッピングに関連する、前記フェムトセルに常駐するユーザ機器からのアップリンク干渉を検出し、測定することと、
バックホールリンクを使用して、前記アップリンク干渉のレベルを前記ＩＣＩＣサーバにレポートすることと
を備え、前記ＩＣＩＣサーバは、前記アップリンク干渉に基づいて前記ユーザ機器またはフェムトセルｅノードＢのいずれかの最大送信電力を再構成する、方法。
【請求項２】
セル間干渉を制御するための装置であって、
マクロセルのｅノードＢで、セル間干渉協調（ＩＣＩＣ）サーバからフェムトセルと前記マクロセルとの間のマッピングを受信するための手段と、
前記マッピングに関連する、前記フェムトセルに常駐するユーザ機器からのアップリンク干渉を検出し、測定するための手段と、
バックホールリンクを使用して、前記アップリンク干渉のレベルを前記ＩＣＩＣサーバにレポートするための手段と
を備え、前記ＩＣＩＣサーバは、前記アップリンク干渉に基づいて、前記ユーザ機器またはフェムトセルｅノードＢのいずれかの最大送信電力を再構成する、装置。
【請求項３】
セル間干渉を制御するためのマクロセルの装置であって、
マクロセルのｅノードＢで、セル間干渉協調（ＩＣＩＣ）サーバからフェムトセルと前記マクロセルとの間のマッピングを受信するためのプロセッサと、
前記マッピングに関連する、前記フェムトセルに常駐するユーザ機器からのアップリンク干渉を検出し、測定するための受信（ＲＸ）データプロセッサと、
前記プロセッサは、バックホールリンクを使用して、前記アップリンク干渉のレベルを前記ＩＣＩＣサーバにレポートするようにさらに構成される
を備え、前記ＩＣＩＣサーバは、前記アップリンク干渉に基づいて、前記ユーザ機器またはフェムトセルｅノードＢのいずれかの最大送信電力を再構成する、装置。
【請求項４】
コンピュータプログラムを記憶したコンピュータ可読記憶媒体であって、前記コンピュータプログラムの実行が、
マクロセルのｅノードＢで、セル間干渉協調（ＩＣＩＣ）サーバからフェムトセルと前記マクロセルとの間のマッピングを受信することと、
前記マッピングに関連する、前記フェムトセルに常駐するユーザ機器からのアップリンク干渉を検出し、測定することと、
バックホールリンクを使用して、前記アップリンク干渉のレベルを前記ＩＣＩＣサーバにレポートすることと
のためであり、前記ＩＣＩＣサーバは、前記アップリンク干渉に基づいて前記ユーザ機器またはフェムトセルｅノードＢのいずれかの最大送信電力を再構成する、コンピュータ可読記憶媒体。
【請求項５】
セル間干渉を制御するための方法であって、前記方法は、セル間干渉協調（ＩＣＩＣ）サーバが実行し、前記方法は、
マクロセルとフェムトセルとの間のマッピングをマクロセルのｅノードＢへ送信することと、
第１のバックホールリンクを介して測定アップリンク干渉レベルを受信することと、ここで、前記測定アップリンク干渉レベルは、前記マクロセルのｅノードＢで、前記マッピングに関連する、前記フェムトセルに常駐するユーザ機器（ＵＥ）からのアップリンク干渉に基づいて測定される、
前記測定アップリンク干渉レベルに基づいて送信電力レベルを決定することと、
ユーザ機器（ＵＥ）またはフェムトセルｅノードＢのいずれかの最大送信電力を再構成するために第２のバックホールリンクを介して前記送信電力レベルを送ることと
を備える、方法。
【請求項６】
前記送信電力レベルは、フェムトセルに送られる、
請求項５に記載の方法。
【請求項７】
セル間干渉を制御するための装置であって、
セル間干渉協調（ＩＣＩＣ）サーバからマクロセルのｅノードＢにマクロセルとフェムトセルとの間のマッピングを送信するための手段と、
第１のバックホールリンクを介して測定アップリンク干渉レベルを受信するための手段と、ここで、前記測定アップリンク干渉レベルは、前記マクロセルのｅノードＢで、前記マッピングに関連する、前記フェムトセルに常駐するユーザ機器（ＵＥ）からのアップリンク干渉に基づいて測定される、
前記測定アップリンク干渉レベルに基づいて送信電力レベルを決定するための手段と、
ユーザ機器（ＵＥ）またはフェムトセルｅノードＢのいずれかの最大送信電力を再構成するために第２のバックホールリンクを介して前記送信電力レベルを送るための手段と
を備える、装置。
【請求項８】
前記送信電力レベルは、フェムトセルに送られる、
請求項７に記載の装置。
【請求項９】
セル間干渉を制御するための装置であって、
測定アップリンク干渉レベルに基づいて送信電力レベルを決定するためのプロセッサと、
セル間干渉協調（ＩＣＩＣ）サーバからマクロセルのｅノードＢにマクロセルとフェムトセルとの間のマッピングを送信し、第１のバックホールリンクを介して前記測定アップリンク干渉レベルを受信し、ユーザ機器（ＵＥ）またはフェムトセルｅノードＢのいずれかの最大送信電力を再構成するために第２のバックホールリンクを介して前記送信電力レベルを送るためのトランシーバと
を備え、前記測定アップリンク干渉レベルは、前記マクロセルのｅノードＢで、前記マッピングに関連する、前記フェムトセルに常駐するユーザ機器（ＵＥ）からのアップリンク干渉に基づいて測定される、装置。
【請求項１０】
前記送信電力レベルは、フェムトセルに送られる、
請求項９に記載の装置。
【請求項１１】
コンピュータプログラムを記憶したコンピュータ可読記憶媒体であって、前記コンピュータプログラムの実行が、
セル間干渉協調（ＩＣＩＣ）サーバからマクロセルのｅノードＢにマクロセルとフェムトセルとの間のマッピングを送信することと、
第１のバックホールリンクを介して測定アップリンク干渉レベルを受信することと、ここで、前記測定アップリンク干渉レベルは、前記マクロセルのｅノードＢで、前記マッピングに関連する、前記フェムトセルに常駐するユーザ機器（ＵＥ）からのアップリンク干渉に基づいて測定される、
前記測定アップリンク干渉レベルに基づいて送信電力レベルを決定することと、
ユーザ機器（ＵＥ）またはフェムトセルｅノードＢのいずれかの最大送信電力を再構成するために第２のバックホールリンクを介して前記送信電力レベルを送ることと
のためである、コンピュータ可読媒体。
【発明の詳細な説明】
【技術分野】
【０００１】
本開示は、一般に、セル干渉を制御するための装置および方法に関する。より詳細には、本開示は、フェムトセルとマクロセルとの間のセル間干渉を制御することに関する。
【背景技術】
【０００２】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）  ロングタームエボリューション（ＬＴＥ）システム、および直交周波数分割多元接続（ＯＦＤＭＡ）システムがある。
【０００３】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力（ＳＩＳＯ）、多入力単出力（ＭＩＳＯ）、または多入力多出力（ＭＩＭＯ）システムを介して確立され得る。
【０００４】
ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。ＭＩＭＯシステムは、複数の送信アンテナと受信アンテナとによって生成された追加の次元数が利用された場合、改善されたパフォーマンス（たとえば、より高いスループットおよび／またはより大きい信頼性）を与えることができる。
【０００５】
ＭＩＭＯシステムは時分割複信（ＴＤＤ）および周波数分割複信（ＦＤＤ）システムをサポートする。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。
【発明の概要】
【０００６】
フェムトセルとマクロセルとの間のセル間干渉を制御するための装置および方法が開示される。一態様によれば、セル間干渉を制御するための方法は、セル間干渉協調（ＩＣＩＣ）サーバからフェムトセルとマクロセルとの間の関連付けを受信することと、アップリンク干渉を検出し、測定することと、バックホールリンクを使用して、アップリンク干渉のレベルをＩＣＩＣサーバにレポートすることとを備える。
【０００７】
別の態様によれば、セル間干渉を制御するための装置は、セル間干渉協調（ＩＣＩＣ）サーバからフェムトセルとマクロセルとの間の関連付けを受信するための手段と、アップリンク干渉を検出し、測定するための手段と、バックホールリンクを使用して、アップリンク干渉のレベルをＩＣＩＣサーバにレポートするための手段とを備える。
【０００８】
別の態様によれば、セル間干渉を制御するための装置は、アップリンク干渉を検出し、測定するための受信（ＲＸ）データプロセッサと、バックホールリンクを使用して、アップリンク干渉のレベルをセル間干渉協調（ＩＣＩＣ）サーバにレポートし、ＩＣＩＣサーバからフェムトセルとマクロセルとの間の関連付けを受信するためのプロセッサとを備える。
【０００９】
別の態様によれば、コンピュータプログラムを記憶したコンピュータ可読媒体であって、コンピュータプログラムの実行が、セル間干渉協調（ＩＣＩＣ）サーバからフェムトセルとマクロセルとの間の関連付けを受信することと、アップリンク干渉を検出し、測定することと、バックホールリンクを使用して、アップリンク干渉のレベルをＩＣＩＣサーバにレポートすることとのためである、コンピュータ可読媒体。
【００１０】
別の態様によれば、セル間干渉を制御するための方法は、第１のバックホールリンクを介して測定アップリンク干渉レベルを受信することと、測定アップリンク干渉レベルに基づいて送信電力レベルを決定することと、ユーザ機器（ＵＥ）またはフェムトセルｅノードＢのいずれかを再構成するために第２のバックホールリンクを介して送信電力レベルを送ることとを備える。
【００１１】
別の態様によれば、セル間干渉を制御するための装置は、第１のバックホールリンクを介して測定アップリンク干渉レベルを受信するための手段と、測定アップリンク干渉レベルに基づいて送信電力レベルを決定するための手段と、ユーザ機器（ＵＥ）またはフェムトセルｅノードＢのいずれかを再構成するために第２のバックホールリンクを介して送信電力レベルを送るための手段とを備える。
【００１２】
別の態様によれば、セル間干渉を制御するための装置は、測定アップリンク干渉レベルに基づいて送信電力レベルを決定するためのプロセッサと、第１のバックホールリンクを介して測定アップリンク干渉レベルを受信し、ユーザ機器（ＵＥ）またはフェムトセルｅノードＢのいずれかを再構成するために第２のバックホールリンクを介して送信電力レベルを送るためのトランシーバとを備える。
【００１３】
別の態様によれば、コンピュータプログラムを記憶したコンピュータ可読媒体であって、コンピュータプログラムの実行が、第１のバックホールリンクを介して測定アップリンク干渉レベルを受信することと、測定アップリンク干渉レベルに基づいて送信電力レベルを決定することと、ユーザ機器（ＵＥ）またはフェムトセルｅノードＢのいずれかを再構成するために第２のバックホールリンクを介して送信電力レベルを送ることとのためである、コンピュータ可読媒体。
【００１４】
別の態様によれば、セル間干渉を制御するための方法は、セル間干渉協調（ＩＣＩＣ）サーバからフェムトセルとマクロセルとの間の関連付けを受信することと、ダウンリンク干渉を測定することと、バックホールリンクを使用して、ダウンリンク干渉のレベルをＩＣＩＣサーバにレポートすることとを備える。
【００１５】
別の態様によれば、セル間干渉を制御するための装置は、セル間干渉協調（ＩＣＩＣ）サーバからフェムトセルとマクロセルとの間の関連付けを受信するための手段と、ダウンリンク干渉を測定するための手段と、バックホールリンクを使用して、ダウンリンク干渉のレベルをＩＣＩＣサーバにレポートするための手段とを備える。
【００１６】
別の態様によれば、セル間干渉を制御するための装置は、セル間干渉協調（ＩＣＩＣ）サーバからフェムトセルとマクロセルとの間の関連付けを受信し、ダウンリンク干渉を測定するためのプロセッサと、バックホールリンクを使用して、ダウンリンク干渉のレベルをＩＣＩＣサーバにレポートするための受信（ＲＸ）データプロセッサとを備える。
【００１７】
別の態様によれば、コンピュータプログラムを記憶したコンピュータ可読媒体であって、コンピュータプログラムの実行が、セル間干渉協調（ＩＣＩＣ）サーバからフェムトセルとマクロセルとの間の関連付けを受信することと、その関連付けに関連するダウンリンク干渉を測定することと、バックホールリンクを使用して、ダウンリンク干渉のレベルをＩＣＩＣサーバにレポートすることとのためである、コンピュータ可読媒体。
【００１８】
別の態様によれば、セル間干渉を制御するための方法は、第１のバックホールリンクを介して測定ダウンリンク干渉を受信することと、測定ダウンリンク干渉に基づいて送信電力レベルを決定することと、第２のバックホールリンクを使用して、送信電力レベルを備えるメッセージをフェムトセルｅノードＢに送ることとを備える。
【００１９】
別の態様によれば、セル間干渉を制御するための装置は、第１のバックホールリンクを介して測定ダウンリンク干渉を受信するための手段と、測定ダウンリンク干渉に基づいて送信電力レベルを決定するための手段と、第２のバックホールリンクを使用して、決定された送信電力レベルを備えるメッセージをフェムトセルｅノードＢに送るための手段とを備える。
【００２０】
別の態様によれば、セル間干渉を制御するための装置は、測定ダウンリンク干渉に基づいて送信電力レベルを決定するためのプロセッサと、第１のバックホールリンクを介して測定ダウンリンク干渉を受信し、第２のバックホールリンクを使用して、測定された送信電力レベルを備えるメッセージをフェムトセルｅノードＢに送るためのトランシーバとを備える。
【００２１】
別の態様によれば、コンピュータプログラムを記憶したコンピュータ可読媒体であって、コンピュータプログラムの実行が、第１のバックホールリンクを介して測定ダウンリンク干渉を受信することと、測定ダウンリンク干渉に基づいて送信電力レベルを決定することであって、送信電力レベルがフェムトセルｅノードＢに関係する、送信電力レベルを決定することと、第２のバックホールリンクを使用して、送信電力レベルを備えるメッセージをフェムトセルｅノードＢに送ることとのためである、コンピュータ可読媒体。
【００２２】
本開示の利点は、複数のユーザ間の全体的な容量またはスループットを最大にするためにフェムトセルワイヤレスシステムにおけるセル間干渉を緩和することと、スペクトル効率を改善することとを含む。
【００２３】
様々な態様が例として図示され説明される以下の詳細な説明から、他の態様が当業者には容易に明らかになることを理解されたい。図面および発明を実施するための形態は、本質的に例示的なものと見なされるべきであり、限定的なものと見なされるべきではない。
【図面の簡単な説明】
【００２４】
【図１】例示的な多元接続ワイヤレス通信システムを示す図。
【図２】多入力多出力（ＭＩＭＯ）システムにおける（アクセスポイントとしても知られる）送信機システムと（アクセス端末としても知られる）受信機システムとの例示的なブロック図。
【図３】ノーマルサイクリックプレフィックス（ＣＰ）長さをもつ例示的なセル固有ＲＳ構成を示す図。
【図４】フェムトセル（ＣＳＧセル）がマクロセルのカバレージエリア内に含まれている例示的なワイヤレスシステムアーキテクチャを示す図。
【図５】スケーラビリティのためにホームｅノードＢゲートウェイを含む例示的なワイヤレスシステムアーキテクチャを示す図。
【図６】マクロセルの観点においてｅノードＢからのバックホールシグナリングを使用してアップリンク干渉を制御するための例示的なフローチャート。
【図７】セル間干渉協調（ＩＣＩＣ）サーバの観点からバックホールシグナリングを使用してアップリンク干渉を制御するための例示的なフローチャート。
【図８】マクロセルの観点においてユーザ機器（ＵＥ）からのバックホールシグナリングを使用してダウンリンク干渉を制御するための例示的なフローチャート。
【図９】セル間干渉協調（ＩＣＩＣ）サーバの観点からバックホールシグナリングを使用してダウンリンク干渉を制御するための例示的なフローチャート。
【図１０】干渉を制御するためのプロセスを実行するためにメモリと通信しているプロセッサを備えるデバイスの一例を示す図。
【図１１】マクロセルの観点においてｅノードＢからのバックホールシグナリングを使用してアップリンク干渉を制御するのに好適なデバイスの一例を示す図。
【図１２】セル間干渉協調（ＩＣＩＣ）サーバの観点からバックホールシグナリングを使用してアップリンク干渉を制御するのに好適なデバイスの一例を示す図。
【図１３】マクロセルの観点においてユーザ機器（ＵＥ）からのバックホールシグナリングを使用してダウンリンク干渉を制御するのに好適なデバイスの一例を示す図。
【図１４】セル間干渉協調（ＩＣＩＣ）サーバの観点からバックホールシグナリングを使用してダウンリンク干渉を制御するのに好適なデバイスの一例を示す図。
【発明を実施するための形態】
【００２５】
添付の図面とともに以下に示す発明を実施するための形態は、本開示の様々な態様を説明するものであり、本開示が実施され得る唯一の態様を表すものではない。本開示で説明する各態様は、本開示の例または説明として与えるものにすぎず、必ずしも他の態様よりも好適であるまたは有利であると解釈すべきではない。発明を実施するための形態は、本開示の完全な理解を与えるための具体的な詳細を含む。ただし、本開示はこれらの具体的な詳細なしに実施され得ることが当業者には明らかであろう。場合によっては、本開示の概念を不明瞭にしないように、よく知られている構造およびデバイスをブロック図の形式で示す。頭字語および他の記述的専門用語は、単に便宜のためにおよび明瞭にするためにのみ使用され得、本開示の範囲を限定するものではない。
【００２６】
説明を簡単にするために、方法を一連の行為として図示し説明するが、いくつかの行為は、１つまたは複数の態様によれば、本明細書で図示し説明する順序とは異なる順序で、および／または他の行為と同時に行われ得るので、方法は行為の順序によって限定されないことを理解し、諒解されたい。たとえば、方法は、状態図など、一連の相互に関係する状態またはイベントとして代替的に表現され得ることを、当業者は理解し、諒解するであろう。さらに、１つまたは複数の態様による方法を実装するために、示されたすべての行為が必要とされるとは限らない。
【００２７】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００２８】
図１に、例示的な多元接続ワイヤレス通信システムを示す。アクセスポイント１００（ＡＰ）は複数のアンテナグループを含み、あるアンテナグループは１０４および１０６を含み、別のアンテナグループはアンテナ１０８および１１０を含み、追加のアンテナグループはアンテナ１１２および１１４を含む。図１では、アンテナグループごとに２つのアンテナのみが示されているが、アンテナグループごとにより多いまたはより少ないアンテナが利用でき得る。アクセス端末１１６（ＡＴ）はアンテナ１１２および１１４と通信中であり、アンテナ１１２および１１４は、順方向リンク１１６上でアクセス端末１２０に情報を送信し、逆方向リンク１１６上でアクセス端末１１８から情報を受信する。アクセス端末１２２はアンテナ１０６および１０８と通信中であり、アンテナ１０６および１０８は、順方向リンク１２２上でアクセス端末１２６に情報を送信し、逆方向リンク１２２上でアクセス端末１２４から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００２９】
アンテナの各グループ、および／またはアンテナが通信するために設計されたエリアは、しばしば、アクセスポイントのセクタと呼ばれる。本実施形態では、アンテナグループはそれぞれ、アクセスポイント１００によってカバーされる領域のセクタ内でアクセス端末に通信するように設計される。
【００３０】
順方向リンク１２０および１２６上の通信では、アクセスポイント１００の送信アンテナは、異なるアクセス端末１１６および１２４に対して順方向リンクの信号対雑音比を改善するためにビームフォーミングを利用する。また、アクセスポイントが、ビームフォーミングを使用して、それのカバレージ中にランダムに分散されたアクセス端末に送信するほうが、アクセスポイントが単一のアンテナを介してそれのすべてのアクセス端末に送信するよりも、隣接セル中のアクセス端末への干渉が小さくなる。
【００３１】
アクセスポイントは、端末との通信に使用される固定局であり得、ｅノードＢ、または何らかの他の用語で呼ばれることもある。アクセス端末は、ユーザ機器（ＵＥ）、ワイヤレス通信デバイス、端末、アクセス端末、または何らかの他の用語で呼ばれることもある。
【００３２】
図２に、多入力多出力（ＭＩＭＯ）システム２００における（アクセスポイントとしても知られる）送信機システム２１０および（アクセス端末としても知られる）受信機システム２５０の例示的なブロック図を示す。一態様では、図２は、アクセスポイント２１０がマクロｅノードＢとして知られ、アクセス端末２５０がユーザ機器（ＵＥ）としても知られる場合のマクロセルに当てはまる。別の態様では、図２は、アクセスポイント２１０がホームｅノードＢとして知られ、アクセス端末２５０がユーザ機器（ＵＥ）としても知られる場合のフェムトセルに当てはまる。
【００３３】
送信機システム２１０において、いくつかのデータストリームのトラフィックデータがデータソース２１２から送信（ＴＸ）データプロセッサ２１４に与えられる。一実施形態では、各データストリームは、それぞれの送信アンテナを介して送信される。ＴＸデータプロセッサ２１４は、符号化データを与えるために、各データストリームのトラフィックデータを、そのデータストリーム用に選択された特定の符号化方式に基づいてフォーマットし、符号化し、インターリーブする。
【００３４】
各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ２３０によって実行される命令によって決定され得る。
【００３５】
次いで、すべてのデータストリームの変調シンボルがＴＸ  ＭＩＭＯプロセッサ２２０に供給され、ＴＸ  ＭＩＭＯプロセッサ２２０はさらに（たとえば、ＯＦＤＭの場合）その変調シンボルを処理し得る。次いで、ＴＸ  ＭＩＭＯプロセッサ２２０は、ＮT個の変調シンボルストリームをＮT個の送信機（ＴＭＴＲ）２２２ａ〜２２２ｔに供給する。いくつかの実施形態では、ＴＸ  ＭＩＭＯプロセッサ２２０は、データストリームのシンボルと、シンボルの送信元のアンテナとにビームフォーミング重みを適用する。
【００３６】
各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次いで、送信機２２２ａ〜２２２ｔからのＮT個の変調信号は、それぞれＮT個のアンテナ２２４ａ〜２２４ｔから送信される。
【００３７】
受信機システム２５０では、送信された被変調信号はＮR個のアンテナ２５２ａ〜２５２ｒによって受信され、各アンテナ２５２からの受信信号は、それぞれの受信機（ＲＣＶＲ）２５４ａ〜２５４ｒに供給される。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３８】
次いで、ＲＸデータプロセッサ２６０は、ＮR個の受信機２５４からＮR個の受信シンボルストリームを受信し、特定の受信機処理技法に基づいて処理して、ＮT個の「検出」シンボルストリームを与える。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理と相補的なものである。
【００３９】
プロセッサ２７０は、どのプリコーディング行列を使用すべきかを周期的に決定する（後述）。プロセッサ２７０は、行列インデックス部とランク値部とを備える逆方向リンクメッセージを作成する。
【００４０】
逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に戻される。
【００４１】
送信機システム２１０において、受信機システム２５０からの変調信号は、アンテナ２２４によって受信され、受信機２２２によって調整され、復調器２４０によって復調され、受信機システム２５０によって送信された逆方向リンクメッセージを抽出するために受信（ＲＸ）データプロセッサ２４２によって処理される。次いで、プロセッサ２３０は、ビームフォーミング重みを決定するためにどのプリコーディング行列を使用すべきかを決定し、次いで、抽出されたメッセージを処理する。
【００４２】
一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）と、ページング情報を転送するＤＬチャネルであるページング制御チャネル（ＰＣＣＨ）と、１つまたは複数のＭＴＣＨについてのマルチメディアブロードキャストおよびマルチキャストサービス（ＭＢＭＳ）のスケジューリングおよび制御情報を送信するために使用されるポイントツーマルチポイントＤＬチャネルであるマルチキャスト制御チャネル（ＭＣＣＨ）とを備える。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（ＤＣＣＨ）は、専用制御情報を送信するポイントツーポイント双方向チャネルであり、ＲＲＣ接続を有するＵＥによって使用される。一態様では、論理トラフィックチャネルは、ユーザ情報を転送するための１つのＵＥに専用のポイントツーポイント双方向チャネルである専用トラフィックチャネル（ＤＴＣＨ）を備える。また、トラフィックデータを送信するためのポイントツーマルチポイントＤＬチャネルであるマルチキャストトラフィックチャネル（ＭＴＣＨ）を備える。
【００４３】
一態様では、トランスポートチャネルは、ダウンリンク（ＤＬ）とアップリンク（ＵＬ）とに分類される。ＤＬトランスポートチャネルは、ブロードキャストチャネル（ＢＣＨ）と、ダウンリンク共有データチャネル（ＤＬ−ＳＤＣＨ）と、ＵＥ節電（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネル用に使用され得るＰＨＹリソースにマッピングされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルとＵＬチャネルとのセットを備える。
【００４４】
一態様では、ＤＬ  ＰＨＹチャネルは、以下を含み得る。  
・共通パイロットチャネル（ＣＰＩＣＨ）  
・同期チャネル（ＳＣＨ）  
・共通制御チャネル（ＣＣＣＨ）  
・共有ＤＬ制御チャネル（ＳＤＣＣＨ）  
・マルチキャスト制御チャネル（ＭＣＣＨ）  
・共有ＵＬ割当てチャネル（ＳＵＡＣＨ）  
・肯定応答チャネル（ＡＣＫＣＨ）  
・ＤＬ物理共有データチャネル（ＤＬ−ＰＳＤＣＨ）  
・ＵＬ電力制御チャネル（ＵＰＣＣＨ）  
・ページングインジケータチャネル（ＰＩＣＨ）  
・ロードインジケータチャネル（ＬＩＣＨ）  
【００４５】
一態様では、ＵＬ  ＰＨＹチャネルは、以下を備え得る。  
・物理ランダムアクセスチャネル（ＰＲＡＣＨ）  
・チャネル品質インジケータチャネル（ＣＱＩＣＨ）  
・肯定応答チャネル（ＡＣＫＣＨ）  
・アンテナサブセットインジケータチャネル（ＡＳＩＣＨ）  
・共有要求チャネル（ＳＲＥＱＣＨ）  
・ＵＬ物理共有データチャネル（ＵＬ−ＰＳＤＣＨ）  
・ブロードバンドパイロットチャネル（ＢＰＩＣＨ）
【００４６】
一態様では、シングルキャリア波形の低ピーク対平均電力比（ＰＡＰＲ）特性を保つチャネル構造が提供される（すなわち、所与の時間に、チャネルは、周波数が連続するかまたは一様に離間される）。
【００４７】
Ｌｏｎｇ  Ｔｅｒｍ  Ｅｖｏｌｕｔｉｏｎ（ＬＴＥ）は、ワイヤレス通信のためのワールドワイドプロトコルファミリーである、ユニバーサルモバイル電気通信システム（ＵＭＴＳ：Universal Mobile Telecommunications System）の次世代発展形である。ＬＴＥは、ＯＦＤＭマルチキャリア伝送、送信と受信の両方のための複数のアンテナのプロビジョン、およびインターネットプロトコル（ＩＰ）パケット交換ネットワークインフラストラクチャを含む、以前のワイヤレス技術と比較して、いくつかの新しい技術的特徴を与える。特に、ＯＦＤＭは、多種多様なユーザサービスを与えるために多くのフレキシブルな方法でアグリゲートされ得る直交する時間リソースと周波数リソースとの２次元アレイに依拠する。
【００４８】
一態様では、ユーザがワイヤレス通信のために携帯する移動局またはモバイル端末はユーザ機器（ＵＥ）として知られている。概して、ＵＥは、ＵＥのためのワイヤレスネットワークアクセスノードを表す、基地局としても一般的に知られる発展型ノードＢ（ｅノードＢ）へのワイヤレス双方向リンクを介して、ワイヤレスネットワークか、または公衆交換電話網（ＰＳＴＮ）、インターネット、プライベートネットワーク、ワイドエリアネットワーク（ＷＡＮ）などの一般的な通信インフラストラクチャのいずれかの中の他のユーザに接続する。アクセスノード（たとえばｅノードＢ）とは別個の他のワイヤレスネットワーク要素はコアネットワーク（ＣＮ）の一部と見なされる。ｅノードＢは、サービングゲートウェイ（Ｓ−ＧＷ）およびモビリティ管理エンティティ（ＭＭＥ）などの他のネットワーク要素に接続される。一態様では、Ｓ−ＧＷは、ＵＥが異なるｅノードＢ間で移動するとき、データベアラのためのモビリティアンカーとして働く。別の態様では、ＭＭＥは、ＵＥとコアネットワーク（ＣＮ）との間のシグナリングを管理するための制御エンティティとして働く。Ｓ−ＧＷは、たとえば、グローバルインターネットへのＬＴＥポータルとして機能するパケットデータネットワークゲートウェイ（Ｐ−ＧＷ）とインターフェースする。Ｐ−ＧＷはまた、ＵＥのためのＩＰアドレスを割り振り、ポリシールールに基づいてサービス品質（ＱｏＳ）をエンフォースする。
【００４９】
一態様では、ＬＴＥにおけるダウンリンクリソースは、より小さい基本的な時間リソースと周波数リソースとに区分される。たとえば、時間次元では、無線フレームは、１０ｍｓの持続時間を有し、各々の持続時間が１ｍｓの１０個のサブフレームに分割される。さらに、各サブフレームは、２個の０．５ｍｓのスロットに分割される。ノーマルサイクリックプレフィックス長の場合、各スロットは７個のＯＦＤＭシンボルを備える。周波数次元では、リソースブロック（ＲＢ）は、各々が１５ｋＨｚのサブキャリア帯域幅をもつ１２個のサブキャリアのグループである。サブキャリアは、たとえば、トーンとしても示される。１つのリソース要素（ＲＥ）は、１つのサブキャリアと１つのＯＦＤＭシンボルとからなる、ＬＴＥにおける最小リソースユニットである。
【００５０】
別の態様では、いくつかのリソースブロックは、同期信号、基準信号、制御信号およびブロードキャストシステム情報などの特殊な信号に専用である。たとえば、ＬＴＥにおける３つの必須の同期ステップ、すなわち、シンボルタイミング収集、キャリア周波数同期、およびサンプリングクロック同期が必要であることがある。一例では、ＬＴＥは、各セルについて２つの特殊な同期信号、すなわち、時間および周波数同期のために使用される１次同期信号（ＰＳＳ）と、セル識別、サイクリックプレフィックス長、デュプレックス方法など、いくつかのシステムパラメータのブロードキャスティングのために使用される２次同期信号（ＳＳＳ）とに依拠する。概して、最初にＵＥによってＰＳＳが検出され、その後、ＳＳＳ検出が行われる。
【００５１】
一態様では、ＰＳＳは、一定振幅チャープ様（chirp-like）デジタルシーケンスであるＺａｄｏｆｆ−Ｃｈｕシーケンスに基づく。概して、ＵＥによって利用可能な先験的なチャネル情報がないと仮定されるので、ＰＳＳはＵＥによって非コヒーレントに検出される（すなわち、位相情報を用いない検出）。別の態様では、ＳＳＳは、最長シーケンス（Ｍシーケンスとしても知られる）に基づく。ＳＳＳの検出はＰＳＳの検出後に実行されるので、ＰＳＳ検出後にチャネル状態情報（ＣＳＩ）がＵＥにとって利用可能である場合、ＳＳＳのコヒーレント検出（すなわち、位相情報を用いた検出）が利用可能であり得る。しかしながら、いくつかのシナリオでは、たとえば、隣接するｅノードＢからのコヒーレント干渉の場合、ＳＳＳの非コヒーレント検出が必要とされることがある。
【００５２】
別の態様では、ＰＳＳ検出およびＳＳＳ検出が達成された後、新しいセル識別の場合、ＵＥは、ＬＴＥダウンリンクからのいくつかの基準信号（ＲＳ）を収集し、追跡する。ＬＴＥダウンリンクは、一例では、以下のような３つの一意のＲＳタイプを含んでいることがある。  
・セル内のすべてのＵＥにブロードキャストされる、セル固有ＲＳ  
・いくつかのＵＥのみを対象とする、ＵＥ固有ＲＳ  
・マルチメディアブロードキャスト単一周波数ネットワーク（ＭＢＳＦＮ）動作のみを対象とする、ＭＢＳＦＮ固有ＲＳ
【００５３】
一態様では、ＬＴＥダウンリンクは、ＯＦＤＭ時間周波数格子内のいくつかのロケーション内のＲＳを与える。たとえば、図３に、ノーマルサイクリックプレフィックス（ＣＰ）長をもつ例示的なセル固有ＲＳ構成を示す。図示のように、それぞれ、予想されるチャネルコヒーレンス帯域幅および最大ドップラー拡散に従って、時間次元および周波数次元において千鳥状に配置されたＲＳシンボルが示されている。
【００５４】
別の態様では、各ＲＳは、良好な相互相関特性のための長さ３１のゴールドシーケンスを使用した４位相シフトキーイング（ＱＰＳＫ）変調から構成される。セル固有ＲＳはまた、隣接するセルからの干渉を緩和するためにセル識別フィールドおよびセル固有周波数シフトを含んでいる。
【００５５】
ＬＴＥ−Ａｄｖａｎｃｅｄ（ＬＴＥ−Ａ）はＵＭＴＳプロトコルファミリーの提案された次世代ワイヤレス技術発展形である。ＬＴＥ−Ａシステムの所望の目的には、たとえば、ダウンリンク上での最大１Ｇｂ／ｓのデータレートの向上がある。さらに、ＬＴＥ−Ａワイヤレスシステムの展開は、前のＬＴＥインフラストラクチャにおいて行われた財政投資を保護するためにＬＴＥシステムと後方互換性がなければならない。さらに、ＬＴＥ−Ａシステムの別の目的は、スペクトル効率の改善、すなわち、１ヘルツ当たりのビット毎秒（ｂｐｓ／Ｈｚ）で表される、単位帯域幅当たりのデータスループットの向上である。ワイヤレス送信のために利用可能なスペクトルリソースは世界中で厳しく制限され、厳密に規制されているので、スペクトル効率の改善はワイヤレス通信業界の成長にとって極めて重要である。
【００５６】
一態様では、マクロセルとフェムトセルとの間のセル間干渉を制御するための現在のワイヤレスシステム、たとえば、ＬＴＥへの拡張が開示される。マクロセルは、半径１０００ｍ程度の比較的大きいエリアをカバーし、フェムトセルは、家庭または中小企業など、半径１０ｍ程度の比較的小さいエリアをカバーする。概して、マクロセル内に含まれている多数のフェムトセルがあることになる。
【００５７】
たとえば、ＬＴＥでは、同じセル中の異なるユーザに対して直交周波数が使用されるので、セル（イントラセル）内の干渉はほとんどない。しかしながら、干渉は、（異なるセル間の）インターセル干渉によって支配され得る。一例では、干渉問題に対する以前のソリューションは、送信電力を低減するための単純なしきい値インジケータとして使用され得る、アップリンクにおける高干渉の存在を示すための１ビット「オーバーロードインジケータ」（ＯＩ）を含んでいた。また、セル間干渉協調（ＩＣＩＣ）は、セル間干渉を制限するためのスケジューリングストラテジである。本開示では、以下の２つのセル間干渉ソリューションを与えるために自己組織化ネットワーク（ＳＯＮ：self organizing network）／ＩＣＩＣサーバを介した追加のバックホール（すなわち、ユーザリンクを使用しない）シグナリングについて説明する。  
・アップリンク：ＳＯＮ／ＩＣＩＣサーバによってフェムトセル（すなわち、限定加入者グループ（ＣＳＣ）セル）におけるＵＥの最大電力（Ｐ＿ｍａｘ）を制御する。  
・ダウンリンク：ＳＯＮ／ＩＣＩＣサーバによって最大フェムトセル（ＣＳＧセル）ｅノードＢ送信電力を制限する。  
【００５８】
一例では、閉じた加入者グループ（ＣＳＧ）セル近傍のマクロＵＥがＣＳＧセルの基地局を妨害することがある。一態様では、ＣＳＧ  ＵＥが、アップリンク側でマクロワイヤレスネットワークに著しく干渉することがある。
【００５９】
図４に、マクロセル４１０のカバレージエリア内にフェムトセル（ＣＳＧセル）４２０が含まれている例示的なワイヤレスシステムアーキテクチャ４００を示す。一例では、フェムトセル４２０は、フェムトセルダウンリンク信号を送信し、フェムトセル４２０内のＵＥからのフェムトセルアップリンク信号を受信するためのフェムトセルホームｅノードＢ４２１から構成される。別の例では、マクロセル４１０は、マクロセルダウンリンク信号を送信し、マクロセル４１０内のＵＥからのマクロセルアップリンク信号を受信するためのマクロｅノードＢ４１１から構成される。一態様では、フェムトセルホームｅノードＢ４２１およびマクロｅノードＢ４１１は、バックホールリンク４３１、４３２を介してＳＯＮ／ＩＣＩＣサーバ４３０に接続される。一例では、バックホールリンク４３１、４３２は、ＵＥとの間で最終（ワイヤレス）リンクを除く通信インフラストラクチャの様々な部分を相互接続する通信パスである。一態様では、図４はＬＴＥシステムに当てはまる。明示的には示されていないが、マクロｅノードＢは、複数の送信アンテナおよび受信アンテナをもつＭＩＭＯシステムとして実装され得る。
【００６０】
図５に、スケーラビリティのためにホームｅノードＢゲートウェイ５４０を含む例示的なワイヤレスシステムアーキテクチャ５００を示す。一例では、ＳＯＮ／ＩＣＩＣサーバ５１０は、マクロｅノードＢ５５０ならびにホームｅノードＢ５２０、５３０に接続される。一態様では、このアーキテクチャは、ＳＯＮ／ＩＣＩＣサーバがマクロｅノードＢおよびホームｅノードＢに接続されるシナリオの場合に機能する。一例では、ＵＥ測定値に基づいて、ＳＯＮ／ＩＣＩＣサーバはホームｅノードＢをマクロセルに関連付ける。一態様では、ＳＯＮ／ＩＣＩＣサーバ５１０は、マクロｅノードＢ５５０によってカバーされるマクロセルのための干渉管理サービス、ならびにホームｅノードＢ５２０、５３０によってカバーされるフェムトセルのための干渉管理サービスを提供する。ホームｅノードＢ５２０、５３０は、オプションとして、フェムトセルのための管理サービスをアグリゲートするためにホームｅノードＢゲートウェイ５４０に接続される。さらに、マクロｅノードＢ５５０はモビリティ管理エンティティ（ＭＭＥ）プール５７０に接続される。一例では、ＭＭＥプール５７０は複数のモビリティ管理エンティティ（ＭＭＥ）５７１、５７２、５７３を備える。同様に、ホームｅノードＢゲートウェイ５４０はサービングゲートウェイ（ＳＧＷ）プール５６０に接続される。一例では、ＳＧＷプール５６０は複数のサービングゲートウェイ（ＳＧＷ）５６１、５６２を備える。一例では、マクロｅノードＢ５５０は、複数の送信アンテナおよび受信アンテナをもつＭＩＭＯシステムとして実装される
一態様では、アップリンク干渉のシナリオの場合、ＣＳＧセル中にＵＥがない場合、干渉問題はない。正常な初期アクセスを可能にするために、ＣＳＧセルは、高干渉の影響を分散させるために開ループ電力制御アルゴリズムを動的にバイアスし得る。一方、ＣＳＧセル中にＵＥがある場合、マクロセルとのセル間干渉協調（ＩＣＩＣ）を実行する必要がある。一例では、同期展開と非同期展開の両方について周波数ＩＣＩＣが実現可能である。別の例では、同期展開において時間ＩＣＩＣが実現可能である。たとえば、非同期展開はＵＥフィードバックを必要とする。一態様では、既存のアップリンクソリューションは、たとえば、部分周波数再利用（ＦＦＲ：fractional frequency reuse）を使用することによって、マクロネットワークおよびホームセルが同じ帯域を使用しない、自己最適化ネットワーク（ＳＯＮ）による帯域幅分割を採用する。
【００６１】
一例では、改善されたアップリンク干渉ソリューションは、ＳＯＮ／ＩＣＩＣサーバからの最大電力制御に基づき得る。たとえば、各ＣＳＧセルは１つまたは複数のマクロセルに関連付けられる。一例では、関連付けは、ＳＯＮ／ＩＣＩＣサーバにおけるＵＥ測定値とデータとに基づく。マクロセル中のアップリンク干渉レベルはＳＯＮ／ＩＣＩＣサーバにレポートされ得る。アップリンク干渉レベルに基づいて、ＳＯＮ／ＩＣＩＣサーバはＣＳＧセルのための最大ＵＥ送信電力を再構成し得る。たとえば、所与のセルにおけるＵＥ送信電力を制限するためにＳＩＢ−１において送信されるパラメータＰ＿ｍａｘは、マクロセル中の干渉を処理するために変更され得る。
【００６２】
別の態様では、ダウンリンク干渉のシナリオの場合、フェムトセルのための干渉管理を行うために適応ダウンリンク電力制御が採用され得る。たとえば、マクロネットワーク中のＣＳＧセルの部分同一チャネル（co-channel）展開が使用され得る。たとえば、マクロネットワークにおいてダウンリンクが部分的に妨害される場合、部分同一チャネル展開により、マクロＵＥが通信することが可能になり得る。
【００６３】
一例では、改善されたダウンリンク干渉ソリューションが採用され得る。たとえば、既存のメカニズムに加えて、ＳＯＮ／ＩＣＩＣサーバからの最大ＣＳＧ  ｅノードＢ送信電力制限が導入され得る。一例では、各ＣＳＧセルは１つまたは複数のマクロセルに関連付けられ、関連付けは、ＳＯＮサーバにおけるＵＥ測定値とデータとに基づく。別の例では、マクロセル中のダウンリンク干渉がＳＯＮ／ＩＣＩＣサーバにレポートされ得る。たとえば、ダウンリンク／アップリンク干渉レベルに基づいて、ＳＯＮ／ＩＣＩＣサーバはＣＳＧセルのための最大ｅノードＢ送信電力を再構成し得る。このステップはＣＳＧセルのカバレージを効果的に低減し、ＣＳＧ  ＵＥがＣＳＧ  ｅノードＢに近づかざるを得なくなり、それにより干渉マクロセルへのパスロス差が増大する。
【００６４】
一例では、改善されたアップリンク干渉ソリューションおよびダウンリンク干渉ソリューションは、以下のようにして適切なワイヤレス規格に影響を及ぼし得る。たとえば、ＣＳＧセル中のパラメータＵＥ  Ｐ＿ｍａｘとＣＳＧ  ｅノードＢ最大送信電力との構成および再構成を可能にするために、マクロセルとＳＯＮ／ＩＣＩＣサーバとＣＳＧセルとの間のバックホールシグナリングが必要とされ得る。
【００６５】
図６に、マクロセルの観点においてｅノードＢからのバックホールシグナリングを使用してアップリンク干渉を制御するための例示的なフローチャート６００を示す。ブロック６１０において、セル間干渉協調（ＩＣＩＣ）サーバからフェムトセルとマクロセルとの間の関連付け（たとえば、マッピング）を受信する。ブロック６２０において、アップリンク干渉を検出し、測定する。一例では、アップリンク干渉はユーザ機器からのものである。また、一例では、ユーザ機器はフェムトセル内に常駐する。ブロック６２０に続いて、ブロック６３０において、バックホールリンクを使用してアップリンク干渉のレベルをＩＣＩＣサーバにレポートする。一例では、ＩＣＩＣサーバは、アップリンク干渉に基づいてユーザ機器の最大送信電力を再構成する。
【００６６】
図７に、セル間干渉協調（ＩＣＩＣ）サーバの観点からバックホールシグナリングを使用してアップリンク干渉を制御するための例示的なフローチャート７００を示す。ブロック７１０において、第１のバックホールリンクを介して測定アップリンク干渉レベルを受信する。一例では、測定アップリンク干渉はマクロセルのｅノードＢにおいて測定される。ブロック７２０において、測定アップリンク干渉レベルに基づいて送信電力レベルを決定する。ブロック７２０に続いて、ブロック７３０において、ユーザ機器（ＵＥ）を再構成するために第２のバックホールリンクを介して送信電力レベルを送る。一例では、送信電力レベルはフェムトセルに送られる。また、一例では、ユーザ機器（ＵＥ）はフェムトセルのカバレージ内にある。別の例では、ＩＣＩＣサーバは、アップリンク干渉に基づいてフェムトセルｅノードＢの最大送信電力を再構成する。
【００６７】
図８に、マクロセルの観点においてユーザ機器（ＵＥ）からのバックホールシグナリングを使用してダウンリンク干渉を制御するための例示的なフローチャート８００を示す。ブロック８１０において、セル間干渉協調（ＩＣＩＣ）サーバからフェムトセルとマクロセルとの間の関連付けを受信する。ブロック８２０において、ダウンリンク干渉を測定する。一例では、ダウンリンク干渉は、フェムトセル内に常駐するフェムトセルｅノードＢからのものである。ブロック８２０に続いて、ブロック８３０において、バックホールリンクを使用してダウンリンク干渉のレベルをＩＣＩＣサーバにレポートする。一例では、ＩＣＩＣサーバは、ダウンリンク干渉に基づいてフェムトセルｅノードＢの最大送信電力を再構成する。
【００６８】
図９に、セル間干渉協調（ＩＣＩＣ）サーバの観点からのバックホールシグナリングを使用してダウンリンク干渉を制御するための例示的なフローチャート９００を示す。ブロック９１０において、第１のバックホールリンクを介して測定ダウンリンク干渉を受信する。ブロック９１０に続いて、ブロック９２０において、測定ダウンリンク干渉に基づいて送信電力レベルを決定する。ブロック９３０において、第２のバックホールリンクを使用して、送信電力レベルを備えるメッセージをフェムトセルｅノードＢに送る。一例では、送信電力レベルはフェムトセルｅノードＢに関係する。
【００６９】
図６〜図９の例示的なフローチャートにおいて開示するステップは、本開示の範囲および趣旨から逸脱することなくそれらの順序において交換され得ることを当業者ならば理解されよう。また、フローチャートに示すステップは排他的なものではなく、本開示の範囲および趣旨に影響を及ぼすことなく他のステップを含めるかあるいは例示的なフローチャートのステップのうちの１つまたは複数を削除し得ることを当業者ならば理解されよう。
【００７０】
さらに、本明細書で開示する例に関して説明する様々な例示的な構成要素、論理ブロック、モジュール、回路、および／またはアルゴリズムステップは、電子ハードウェア、ファームウェア、コンピュータソフトウェア、またはそれらの組合せとして実装され得ることを当業者ならば諒解されよう。ハードウェア、ファームウェア、およびソフトウェアのこの互換性を明確に示すために、様々な例示的な構成要素、ブロック、モジュール、回路、および／またはアルゴリズムステップについて、上記では概してそれらの機能に関して説明した。そのような機能をハードウェアとして実装するか、ファームウェアとして実装するか、またはソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲または趣旨からの逸脱を生じるものと解釈すべきではない。
【００７１】
たとえば、ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装され得る。ソフトウェアの場合、実装は、本明細書で説明する機能を実行するモジュール（たとえば、プロシージャ、関数など）を介し得る。ソフトウェアコードは、メモリユニットに記憶され、プロセッサユニットによって実行され得る。さらに、本明細書で説明する様々な例示的なフローチャート、論理ブロック、モジュール、および／またはアルゴリズムステップは、当技術分野で知られている任意のコンピュータ可読媒体上で搬送されるかまたは当技術分野で知られている任意のコンピュータプログラム製品に実装されたコンピュータ可読命令としてもコード化され得る。
【００７２】
１つまたは複数の例では、本明細書で説明するステップまたは機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とすることができ得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００７３】
一例では、本明細書で説明する例示的な構成要素、フローチャート、論理ブロック、モジュール、および／またはアルゴリズムステップは、１つまたは複数のプロセッサを用いて実装または実行される。一態様では、プロセッサは、本明細書で説明する様々なフローチャート、論理ブロックおよび／またはモジュールを実装または実行するために、プロセッサによって実行されるデータ、メタデータ、プログラム命令などを記憶するメモリに結合される。図１０に、干渉を制御するためのプロセスを実行するためにメモリ１０２０と通信しているプロセッサ１０１０を備えるデバイス１０００の一例を示す。一例では、デバイス１０００は、図６〜図９に示したアルゴリズムのうちの１つまたは複数を実装するために使用される。一態様では、メモリ１０２０はプロセッサ１０１０内に配置される。別の態様では、メモリ１０２０はプロセッサ１０１０の外部にある。一態様では、プロセッサは、本明細書で説明する様々なフローチャート、論理ブロックおよび／またはモジュールを実装または実行するための回路を含む。
【００７４】
図１１に、マクロセルの観点においてｅノードＢからのバックホールシグナリングを使用してアップリンク干渉を制御するのに好適なデバイス１１００の一例を示す。一態様では、デバイス１１００は、ブロック１１１０、１１２０および１１３０において本明細書で説明するように、マクロセルの観点においてｅノードＢからのバックホールシグナリングを使用してアップリンク干渉を制御する異なる態様を与えるように構成された１つまたは複数のモジュールを備える少なくとも１つのプロセッサによって実装される。たとえば、各モジュールはハードウェア、ファームウェア、ソフトウェア、またはそれらの任意の組合せを備える。一態様では、デバイス１１００は、少なくとも１つのプロセッサと通信している少なくとも１つのメモリによっても実装される。
【００７５】
図１２に、セル間干渉協調（ＩＣＩＣ）サーバの観点からバックホールシグナリングを使用してアップリンク干渉を制御するのに好適なデバイス１２００の一例を示す。一態様では、デバイス１２００は、ブロック１２１０、１２２０および１２３０において本明細書で説明するように、セル間干渉協調（ＩＣＩＣ）サーバの観点からバックホールシグナリングを使用してアップリンク干渉を制御する異なる態様を与えるように構成された１つまたは複数のモジュールを備える少なくとも１つのプロセッサによって実装される。たとえば、各モジュールはハードウェア、ファームウェア、ソフトウェア、またはそれらの任意の組合せを備える。一態様では、デバイス１２００は、少なくとも１つのプロセッサと通信している少なくとも１つのメモリによっても実装される。
【００７６】
図１３に、マクロセルの観点においてユーザ機器（ＵＥ）からのバックホールシグナリングを使用してダウンリンク干渉を制御するのに好適なデバイス１３００の一例を示す。一態様では、デバイス１３００は、ブロック１３１０、１３２０および１３３０において本明細書で説明するように、マクロセルの観点においてユーザ機器（ＵＥ）からのバックホールシグナリングを使用してダウンリンク干渉を制御する異なる態様を与えるように構成された１つまたは複数のモジュールを備える少なくとも１つのプロセッサによって実装される。たとえば、各モジュールはハードウェア、ファームウェア、ソフトウェア、またはそれらの任意の組合せを備える。一態様では、デバイス１３００は、少なくとも１つのプロセッサと通信している少なくとも１つのメモリによっても実装される。
【００７７】
図１４に、セル間干渉協調（ＩＣＩＣ）サーバの観点からバックホールシグナリングを使用してダウンリンク干渉を制御するのに好適なデバイス１４００の一例を示す。一態様では、デバイス１４００は、ブロック１４１０、１４２０および１４３０において本明細書で説明するように、セル間干渉協調（ＩＣＩＣ）サーバの観点からバックホールシグナリングを使用してダウンリンク干渉を制御する異なる態様を与えるように構成された１つまたは複数のモジュールを備える少なくとも１つのプロセッサによって実装される。たとえば、各モジュールはハードウェア、ファームウェア、ソフトウェア、またはそれらの任意の組合せを備える。一態様では、デバイス１４００は、少なくとも１つのプロセッサと通信している少なくとも１つのメモリによっても実装される。
【００７８】
開示する態様の前述の説明は、当業者が本開示を実施または使用できるように与えたものである。これらの態様への様々な修正は当業者には容易に明らかとなり、本明細書で定義した一般原理は、本開示の趣旨または範囲から逸脱することなく他の態様に適用され得る。
以下に、本願出願の当初の特許請求の範囲に記載された発明を付記する。
［Ｃ１］
セル間干渉を制御するための方法であって、
アップリンク干渉を検出し、測定することと、
バックホールリンクを使用して、前記アップリンク干渉のレベルをセル間干渉協調（ＩＣＩＣ）サーバにレポートすることと
を備える、方法。
［Ｃ２］
前記アップリンク干渉は、ユーザ機器からのものである、
［Ｃ１］に記載の方法。
［Ｃ３］
前記ＩＣＩＣサーバは、前記アップリンク干渉に基づいて前記ユーザ機器またはフェムトセルｅノードＢのいずれかの最大送信電力を再構成する、
［Ｃ２］に記載の方法。
［Ｃ４］
前記ユーザ機器は、フェムトセル内に常駐する、
［Ｃ２］に記載の方法。
［Ｃ５］
前記ＩＣＩＣサーバから前記フェムトセルとマクロセルとの間の関連付けを受信することをさらに備える、
［Ｃ４］に記載の方法。
［Ｃ６］
セル間干渉を制御するための装置であって、
アップリンク干渉を検出し、測定するための手段と、
バックホールリンクを使用して、前記アップリンク干渉のレベルをセル間干渉協調（ＩＣＩＣ）サーバにレポートするための手段と
を備える、装置。
［Ｃ７］
前記アップリンク干渉は、ユーザ機器からのものである、
［Ｃ６］に記載の装置。
［Ｃ８］
前記ＩＣＩＣサーバは、前記アップリンク干渉に基づいて、前記ユーザ機器またはフェムトセルｅノードＢのいずれかの最大送信電力を再構成する、
［Ｃ７］に記載の装置。
［Ｃ９］
前記ユーザ機器は、フェムトセル内に常駐する、
［Ｃ７］に記載の装置。
［Ｃ１０］
前記ＩＣＩＣサーバから前記フェムトセルとマクロセルとの間の関連付けを受信するための手段をさらに備える、
［Ｃ９］に記載の装置。
［Ｃ１１］
セル間干渉を制御するための装置であって、
アップリンク干渉を検出し、測定するための受信（ＲＸ）データプロセッサと、
バックホールリンクを使用して、前記アップリンク干渉のレベルをセル間干渉協調（ＩＣＩＣ）サーバにレポートするためのプロセッサと
を備える、装置。
［Ｃ１２］
前記アップリンク干渉は、ユーザ機器からのものである、
［Ｃ１１］に記載の装置。
［Ｃ１３］
前記ＩＣＩＣサーバは、前記アップリンク干渉に基づいて、前記ユーザ機器またはフェムトセルｅノードＢのいずれかの最大送信電力を再構成する、
［Ｃ１２］に記載の装置。
［Ｃ１４］
前記ユーザ機器は、フェムトセル内に常駐する、
［Ｃ１２］に記載の装置。
［Ｃ１５］
前記プロセッサは、前記ＩＣＩＣサーバから前記フェムトセルとマクロセルとの間の関連付けを受信する、
［Ｃ１４］に記載の装置。
［Ｃ１６］
コンピュータプログラムを記憶したコンピュータ可読媒体であって、前記コンピュータプログラムの実行が、
アップリンク干渉を検出し、測定することと、
バックホールリンクを使用して、前記アップリンク干渉のレベルをセル間干渉協調（ＩＣＩＣ）サーバにレポートすることと
のためである、コンピュータ可読媒体。
［Ｃ１７］
前記アップリンク干渉がユーザ機器からのものである、
［Ｃ１６］に記載のコンピュータ可読媒体。
［Ｃ１８］
前記ＩＣＩＣサーバは、前記アップリンク干渉に基づいて前記ユーザ機器またはフェムトセルｅノードＢのいずれかの最大送信電力を再構成する、
［Ｃ１７］に記載のコンピュータ可読媒体。
［Ｃ１９］
前記ユーザ機器は、フェムトセル内に常駐し、前記コンピュータプログラムの実行が、前記ＩＣＩＣサーバから前記フェムトセルとマクロセルとの間の関連付けを受信することのためでもある、
［Ｃ１７］に記載のコンピュータ可読媒体。
［Ｃ２０］
セル間干渉を制御するための方法であって、
第１のバックホールリンクを介して測定アップリンク干渉レベルを受信することと、
前記測定アップリンク干渉レベルに基づいて送信電力レベルを決定することと、
ユーザ機器（ＵＥ）またはフェムトセルｅノードＢのいずれかを再構成するために第２のバックホールリンクを介して前記送信電力レベルを送ることと
を備える、方法。
［Ｃ２１］
前記測定アップリンク干渉は、マクロセルのｅノードＢにおいて測定される、
［Ｃ２０］に記載の方法。
［Ｃ２２］
前記送信電力レベルは、フェムトセルに送られる、
［Ｃ２０］に記載の方法。
［Ｃ２３］
前記ユーザ機器（ＵＥ）は、前記フェムトセルのカバレージ内にある、
［Ｃ２２］に記載の方法。
［Ｃ２４］
セル間干渉を制御するための装置であって、
第１のバックホールリンクを介して測定アップリンク干渉レベルを受信するための手段と、
前記測定アップリンク干渉レベルに基づいて送信電力レベルを決定するための手段と、
ユーザ機器（ＵＥ）またはフェムトセルｅノードＢのいずれかを再構成するために第２のバックホールリンクを介して前記送信電力レベルを送るための手段と
を備える、装置。
［Ｃ２５］
前記測定アップリンク干渉は、マクロセルのｅノードＢにおいて測定される、
［Ｃ２４］に記載の装置。
［Ｃ２６］
前記送信電力レベルは、フェムトセルに送られる、
［Ｃ２４］に記載の装置。
［Ｃ２７］
前記ユーザ機器（ＵＥ）は、前記フェムトセルのカバレージ内にある、
［Ｃ２６］に記載の装置。
［Ｃ２８］
セル間干渉を制御するための装置であって、
測定アップリンク干渉レベルに基づいて送信電力レベルを決定するためのプロセッサと、
第１のバックホールリンクを介して前記測定アップリンク干渉レベルを受信し、ユーザ機器（ＵＥ）またはフェムトセルｅノードＢのいずれかを再構成するために第２のバックホールリンクを介して前記送信電力レベルを送るためのトランシーバと
を備える、装置。
［Ｃ２９］
前記測定アップリンク干渉は、マクロセルのｅノードＢにおいて測定される、
［Ｃ２８］に記載の装置。
［Ｃ３０］
前記送信電力レベルは、フェムトセルに送られる、
［Ｃ２８］に記載の装置。
［Ｃ３１］
前記ユーザ機器（ＵＥ）は、前記フェムトセルのカバレージ内にある、
［Ｃ３０］に記載の装置。
［Ｃ３２］
コンピュータプログラムを記憶したコンピュータ可読媒体であって、前記コンピュータプログラムの実行が、
第１のバックホールリンクを介して測定アップリンク干渉レベルを受信することと、
前記測定アップリンク干渉レベルに基づいて送信電力レベルを決定することと、
ユーザ機器（ＵＥ）またはフェムトセルｅノードＢのいずれかを再構成するために第２のバックホールリンクを介して前記送信電力レベルを送ることと
のためである、コンピュータ可読媒体。
［Ｃ３３］
前記測定アップリンク干渉は、マクロセルのｅノードＢにおいて測定される、
［Ｃ３２］に記載のコンピュータ可読媒体。
［Ｃ３４］
前記送信電力レベルは、フェムトセルに送られ、前記ユーザ機器（ＵＥ）は、前記フェムトセルのカバレージ内にある、
［Ｃ３２］に記載のコンピュータ可読媒体。
［Ｃ３５］
セル間干渉を制御するための方法であって、
ダウンリンク干渉を測定することと、
バックホールリンクを使用して、前記ダウンリンク干渉のレベルをセル間干渉協調（ＩＣＩＣ）サーバにレポートすることと
を備える、方法。
［Ｃ３６］
前記ダウンリンク干渉は、フェムトセル内に常駐するフェムトセルｅノードＢからのものである、
［Ｃ３５］に記載の方法。
［Ｃ３７］
前記ＩＣＩＣサーバは、前記ダウンリンク干渉に基づいて前記フェムトセルｅノードＢの最大送信電力を再構成する、
［Ｃ３５］に記載の方法。
［Ｃ３８］
前記ＩＣＩＣサーバから前記フェムトセルとマクロセルとの間の関連付けを受信することをさらに備える、
［Ｃ３７］に記載の方法。
［Ｃ３９］
セル間干渉を制御するための装置であって、
ダウンリンク干渉を測定するための手段と、
バックホールリンクを使用して、前記ダウンリンク干渉のレベルをセル間干渉協調（ＩＣＩＣ）サーバにレポートするための手段と
を備える、装置。
［Ｃ４０］
前記ダウンリンク干渉は、フェムトセル内に常駐するフェムトセルｅノードＢからのものである、
［Ｃ３９］に記載の装置。
［Ｃ４１］
前記ＩＣＩＣサーバは、前記ダウンリンク干渉に基づいて前記フェムトセルｅノードＢの最大送信電力を再構成する、
［Ｃ３９］に記載の装置。
［Ｃ４２］
前記ＩＣＩＣサーバから前記フェムトセルとマクロセルとの間の関連付けを受信するための手段をさらに備える、
［Ｃ４１］に記載の装置。
［Ｃ４３］
セル間干渉を制御するための装置であって、
ダウンリンク干渉を測定するためのプロセッサと、
バックホールリンクを使用して、前記ダウンリンク干渉のレベルをセル間干渉協調（ＩＣＩＣ）サーバにレポートするための受信（ＲＸ）データプロセッサと
を備える、装置。
［Ｃ４４］
前記ダウンリンク干渉は、フェムトセル内に常駐するフェムトセルｅノードＢからのものである、
［Ｃ４３］に記載の装置。
［Ｃ４５］
前記ＩＣＩＣサーバは、前記ダウンリンク干渉に基づいて前記フェムトセルｅノードＢの最大送信電力を再構成する、
［Ｃ４３］に記載の装置。
［Ｃ４６］
前記プロセッサは、前記ＩＣＩＣサーバから前記フェムトセルとマクロセルとの間の関連付けを受信する、
［Ｃ４５］に記載の装置。
［Ｃ４７］
コンピュータプログラムを記憶したコンピュータ可読媒体であって、前記コンピュータプログラムの実行が、
セル間干渉協調（ＩＣＩＣ）サーバからフェムトセルとマクロセルとの間の関連付けを受信することと、
前記関連付けに関連するダウンリンク干渉を測定することと、
バックホールリンクを使用して、前記ダウンリンク干渉のレベルを前記ＩＣＩＣサーバにレポートすることと
のためである、コンピュータ可読媒体。
［Ｃ４８］
前記ダウンリンク干渉は、前記フェムトセル内に常駐するフェムトセルｅノードＢからのものである、
［Ｃ４７］に記載のコンピュータ可読媒体。
［Ｃ４９］
前記ＩＣＩＣサーバは、前記ダウンリンク干渉に基づいて前記フェムトセルｅノードＢの最大送信電力を再構成する、
［Ｃ４７］に記載のコンピュータ可読媒体。
［Ｃ５０］
セル間干渉を制御するための方法であって、
第１のバックホールリンクを介して測定ダウンリンク干渉を受信することと、
前記測定ダウンリンク干渉に基づいて送信電力レベルを決定することと、
第２のバックホールリンクを使用して、前記送信電力レベルを備えるメッセージをフェムトセルｅノードＢに送ることと
を備える、方法。
［Ｃ５１］
前記送信電力レベルは、前記フェムトセルｅノードＢに関係する、
［Ｃ５０］に記載の方法。
［Ｃ５２］
セル間干渉を制御するための装置であって、
第１のバックホールリンクを介して測定ダウンリンク干渉を受信するための手段と、
前記測定ダウンリンク干渉に基づいて送信電力レベルを決定するための手段と、
第２のバックホールリンクを使用して、前記送信電力レベルを備えるメッセージをフェムトセルｅノードＢに送るための手段と
を備える、装置。
［Ｃ５３］
前記送信電力レベルは、前記フェムトセルｅノードＢに関係する、
［Ｃ５２］に記載の装置。
［Ｃ５４］
セル間干渉を制御するための装置であって、
測定ダウンリンク干渉に基づいて送信電力レベルを決定するためのプロセッサと、
第１のバックホールリンクを介して前記測定ダウンリンク干渉を受信し、第２のバックホールリンクを使用して、前記送信電力レベルを備えるメッセージをフェムトセルｅノードＢに送るためのトランシーバと
を備える、装置。
［Ｃ５５］
前記送信電力レベルは、前記フェムトセルｅノードＢに関係する、
［Ｃ５４］に記載の装置。
［Ｃ５６］
コンピュータプログラムを記憶したコンピュータ可読媒体であって、前記コンピュータプログラムの実行が、
第１のバックホールリンクを介して測定ダウンリンク干渉を受信することと、
前記測定ダウンリンク干渉に基づいて送信電力レベルを決定することであって、前記送信電力レベルがフェムトセルｅノードＢに関係する、送信電力レベルを決定することと、
第２のバックホールリンクを使用して、前記送信電力レベルを備えるメッセージを前記フェムトセルｅノードＢに送ることと
のためである、コンピュータ可読媒体。
【図１】
0005902168.tif 000002
【図２】
0005902168.tif 000003
【図３】
0005902168.tif 000004
【図４】
0005902168.tif 000005
【図５】
0005902168.tif 000006
【図６】
0005902168.tif 000007
【図７】
0005902168.tif 000008
【図８】
0005902168.tif 000009
【図９】
0005902168.tif 000010
【図１０】
0005902168.tif 000011
【図１１】
0005902168.tif 000012
【図１２】
0005902168.tif 000013
【図１３】
0005902168.tif 000014
【図１４】
0005902168.tif 000015